(57)【要約】【課題】  個人及びグループのスケジュールを直感的に、かつ、短時間で正確に把握できるようにすることにより、スケジュールの閲覧に関する視認性を向上させる。【解決手段】  開示されるスケジュール管理装置は、操作部の操作により入力された任意の期間（例えば、１日）分のスケジュールに基づいて放射状に分割されたスケジュール円盤を作成して、少なくとも１個のスケジュール円盤からなる円形個人スケジュール表を表示部に表示している。【選択図】  図１１
2008217520.tif 000002
【特許請求の範囲】
【請求項１】
操作部の操作により入力された任意の期間分のスケジュールに基づいて放射状に分割されたスケジュール円盤を作成して、少なくとも１個の前記スケジュール円盤からなる円形個人スケジュール表を表示部に表示する
ことを特徴とするスケジュール管理装置。
【請求項２】
前記操作部の操作により指定された前記スケジュール円盤の分割領域に対応した行為の詳細情報を、前記スケジュール円盤の前記分割領域に関連づけて前記表示部に表示する
ことを特徴とする請求項１に記載のスケジュール管理装置。
【請求項３】
前記操作部の操作により指定された前記スケジュール円盤において、前記スケジュール円盤が表す期間を、前記操作部の操作により任意の期間に変更し、期間が変更された新たな前記スケジュール円盤を前記表示部に表示する
ことを特徴とする請求項１又は２に記載のスケジュール管理装置。
【請求項４】
前記操作部の操作により前記円形個人スケジュール表において最前面に位置する前記スケジュール円盤を変更して前記表示部に表示する
ことを特徴とする請求項１乃至３のいずれか記載のスケジュール管理装置。
【請求項５】
前記操作部の操作により前記少なくとも１個の前記スケジュール円盤のレイアウトを変更して前記表示部に表示する
ことを特徴とする請求項１乃至４のいずれかに記載のスケジュール管理装置。
【請求項６】
前記円形個人スケジュール表を複数並べた円形グループスケジュール表を前記表示部に表示する
ことを特徴とする請求項１乃至５のいずれかに記載のスケジュール管理装置。
【請求項７】
前記操作部の操作により指定された前記円形個人スケジュール表を構成する前記スケジュール円盤の分割領域に対応した第１の行為の詳細情報と、他の少なくとも１個の前記円形個人スケジュール表において、前記第１の行為が行われる期間と同一の期間に行われる前記スケジュール円盤の分割領域に対応した少なくとも１個の第２の行為の詳細情報とを、各前記スケジュール円盤の前記分割領域に関連づけて前記表示部にそれぞれ表示する
ことを特徴とする請求項６に記載のスケジュール管理装置。
【請求項８】
前記操作部の操作により指定された前記円形個人スケジュール表のサイズを他の少なくとも１個の前記円形個人スケジュール表のサイズより拡大して前記表示部に表示する
ことを特徴とする請求項６又は７に記載のスケジュール管理装置。
【請求項９】
請求項１乃至８のいずれかに記載の複数のスケジュール管理装置がネットワークを介して接続されて構成されている
ことを特徴とするスケジュール管理システム。
【請求項１０】
請求項１乃至８のいずれかに記載の少なくとも１個のスケジュール管理装置と、前記スケジュールに関するデータを管理するサーバとがネットワークを介して接続されて構成されている
ことを特徴とするスケジュール管理システム。
【請求項１１】
操作部の操作により入力された任意の期間分のスケジュールに基づいて放射状に分割されたスケジュール円盤を作成して、少なくとも１個の前記スケジュール円盤からなる円形個人スケジュール表を作成する円形個人スケジュール表作成ステップと、
前記円形個人スケジュール表を表示部に表示する円形個人スケジュール表表示ステップとを有する
ことを特徴とするスケジュール管理方法。
【請求項１２】
前記操作部の操作により指定された前記スケジュール円盤の分割領域に対応した行為の詳細情報を、前記スケジュール円盤の前記分割領域に関連づけて前記表示部に表示する個人詳細情報表示ステップを有する
ことを特徴とする請求項１１に記載のスケジュール管理方法。
【請求項１３】
前記操作部の操作により指定された前記スケジュール円盤において、前記スケジュール円盤が表す期間を、前記操作部の操作により任意の期間に変更し、期間が変更された新たな前記スケジュール円盤を前記表示部に表示するスケジュール円盤期間変更表示ステップを有する
ことを特徴とする請求項１１又は１２に記載のスケジュール管理方法。
【請求項１４】
前記操作部の操作により前記円形個人スケジュール表において最前面に位置する前記スケジュール円盤を変更して前記表示部に表示するスケジュール円盤変更表示ステップを有する
ことを特徴とする請求項１１乃至１３のいずれかに記載のスケジュール管理方法。
【請求項１５】
前記操作部の操作により前記少なくとも１個の前記スケジュール円盤のレイアウトを変更して前記表示部に表示するレイアウト変更表示ステップを有する
ことを特徴とする請求項１１乃至１４のいずれかに記載のスケジュール管理方法。
【請求項１６】
前記円形個人スケジュール表を複数並べた円形グループスケジュール表を前記表示部に表示する円形グループスケジュール表表示ステップを有する
ことを特徴とする請求項１１乃至１５のいずれかに記載のスケジュール管理方法。
【請求項１７】
前記操作部の操作により指定された前記円形個人スケジュール表を構成する前記スケジュール円盤の分割領域に対応した第１の行為の詳細情報と、他の少なくとも１個の前記円形個人スケジュール表において、前記第１の行為が行われる期間と同一の期間に行われる前記スケジュール円盤の分割領域に対応した少なくとも１個の第２の行為の詳細情報とを、各前記スケジュール円盤の前記分割領域に関連づけて前記表示部にそれぞれ表示するグループ詳細情報表示ステップを有する
ことを特徴とする請求項１６に記載のスケジュール管理方法。
【請求項１８】
前記操作部の操作により指定された前記円形個人スケジュール表のサイズを他の少なくとも１個の前記円形個人スケジュール表のサイズより拡大して前記表示部に表示する拡大表示ステップを有する
ことを特徴とする請求項１６又は１７に記載のスケジュール管理方法。
【請求項１９】
コンピュータに請求項１１乃至１８のいずれかに記載の機能を実現させるためのスケジュール管理プログラム。
【発明の詳細な説明】
【技術分野】
【０００１】
本発明は、事業所等において、従業者等の個人又は当該従業者等が属するグループなどのお互いのスケジュールを登録、管理、参照することができるスケジュール管理装置、スケジュール管理システム、スケジュール管理方法及びスケジュール管理プログラムに関する。
【背景技術】
【０００２】
従来のスケジュール管理システムには、スケジュール機能を備えスケジュールに関する情報を管理するサーバと、このサーバにスケジュール機能に関する処理を要求する複数のクライアントとが通信回線により接続されたものがある。このスケジュール管理システムは、スケジュール入力設定手段と、スケジュール管理データ記憶手段と、指示手段と、スケジュール管理データ検索手段と、第１〜第４の表示制御手段と、画面合成手段とを有している。
【０００３】
スケジュール管理データ記憶手段は、上記スケジュール入力設定手段を用いて入力されたユーザ個人又はグループのスケジュール管理データを記憶する。スケジュール管理データ検索手段は、上記スケジュール管理データ記憶手段に記憶されているスケジュール管理データから上記指示手段によりユーザが指示した月又は週又は日を単位とする期間のスケジュール管理データを検索する。第１の表示制御手段は、上記指示手段により１個人、１グループ、１施設、１作業工程のスケジュール表示が指示された場合には、上記個人、グループ、施設、作業工程に関するスケジュール管理データを上記スケジュール管理データ検索手段を介して検索して１画面に表示する。第２の表示制御手段は、上記指示手段により複数の個人、グループ、施設、作業工程のスケジュール表示が指示された場合には、上記スケジュール管理データ検索手段を介してそれらのスケジュールを検索して、複数の画面に表示する。第３の表示制御手段は、上記複数の個人、グループ、施設、作業工程のスケジュールの内容をそれぞれ種類ごとに同一画面上に表示する。
【０００４】
画面合成手段は、上記指示手段を介して複数の個人、グループ、施設、作業工程のスケジュールを表示する複数画面に対して、これら複数画面の合成が指示された場合には、同一画面上に、日付ごとに上記複数画面を、指示した順番に、上記複数対象のスケジュールとして合成して表示する。第４の表示制御手段は、上記合成した画面に対して上記指示手段を介して画面の分解が指示された場合には、元の複数のそれぞれの画面に戻して表示する（例えば、特許文献１参照。）。以下、この技術を第１の従来例と呼ぶ。
【０００５】
また、従来のスケジュール管理システムには、利用者の日々の予定を管理するために、予約状況を概略表示するための高速表示用データと、予定を記憶するスケジュール情報とを対応付けて記憶するようにしたものもある（例えば、特許文献２参照。）。以下、この技術を第２の従来例と呼ぶ。
【０００６】
【特許文献１】特開平７−２８２１２９号公報（請求項１，［００３９］〜［００４３］、図７，図８）
【特許文献２】特開２００４−２５８９７１号公報（請求項１，［００２１］，［００２２］、図３）
【発明の開示】
【発明が解決しようとする課題】
【０００７】
上記した第１の従来例では、特許文献１の図４に示すように、個人スケジュール表示画面は、１日のスケジュールが横軸を時間軸として数日分上下に表示される。また、複数の個人スケジュール表示画面を同一の画面に整理して合成表示する場合には、特許文献１の図８に示すように、日付順に重ねて表示される。後者の場合、各ユーザはイニシャルで表示される。従って、どのユーザがどの時間帯にどのような作業を行っているかについて直感的に認識することができず、各ユーザのうち、会議に出席すべきすべてのユーザが空いている時間を把握するのに時間がかかったり、読み間違えたりするなど、視認性が良好でないという課題があった。
【０００８】
一方、上記した第２の従来例では、特許文献２の図３に示すように、グループスケジュールについて、例えば、「１週間表示」を行う場合、ユーザの勤務時間の開始時間から終了時間までを１日として、その１日をさらに等分割（例えば、６等分）して表示している。この場合、各分割された時間帯の勤務状況（勤務場所、予約状況や休暇区分）を色付けした図形で区別して表示している。従って、グループ構成員の正確なスケジュールを把握することができないとともに、勤務状況と色分け図形との対応関係を常に把握しておく必要があり、視認性が良好でないという課題があった。
【０００９】
本発明は、上述した事情に鑑みてなされたものであり、上述のような課題を解決することができるスケジュール管理装置、スケジュール管理システム、スケジュール管理方法及びスケジュール管理プログラムを提供することを目的とする。
【課題を解決するための手段】
【００１０】
上記課題を解決するために、請求項１に記載の発明に係るスケジュール管理装置は、操作部の操作により入力された任意の期間分のスケジュールに基づいて放射状に分割されたスケジュール円盤を作成して、少なくとも１個の前記スケジュール円盤からなる円形個人スケジュール表を表示部に表示することを特徴としている。
【００１１】
また、請求項２に記載の発明は、請求項１に記載のスケジュール管理装置に係り、前記操作部の操作により指定された前記スケジュール円盤の分割領域に対応した行為の詳細情報を、前記スケジュール円盤の前記分割領域に関連づけて前記表示部に表示することを特徴としている。
【００１２】
また、請求項３に記載の発明は、請求項１又は２に記載のスケジュール管理装置に係り、前記操作部の操作により指定された前記スケジュール円盤において、前記スケジュール円盤が表す期間を、前記操作部の操作により任意の期間に変更し、期間が変更された新たな前記スケジュール円盤を前記表示部に表示することを特徴としている。
【００１３】
また、請求項４に記載の発明は、請求項１乃至３のいずれか記載のスケジュール管理装置に係り、前記操作部の操作により前記円形個人スケジュール表において最前面に位置する前記スケジュール円盤を変更して前記表示部に表示することを特徴としている。
【００１４】
また、請求項５に記載の発明は、請求項１乃至４のいずれかに記載のスケジュール管理装置に係り、前記操作部の操作により前記少なくとも１個の前記スケジュール円盤のレイアウトを変更して前記表示部に表示することを特徴としている。
【００１５】
また、請求項６に記載の発明は、請求項１乃至５のいずれかに記載のスケジュール管理装置に係り、前記円形個人スケジュール表を複数並べた円形グループスケジュール表を前記表示部に表示することを特徴としている。
【００１６】
また、請求項７に記載の発明は、請求項６に記載のスケジュール管理装置に係り、前記操作部の操作により指定された前記円形個人スケジュール表を構成する前記スケジュール円盤の分割領域に対応した第１の行為の詳細情報と、他の少なくとも１個の前記円形個人スケジュール表において、前記第１の行為が行われる期間と同一の期間に行われる前記スケジュール円盤の分割領域に対応した少なくとも１個の第２の行為の詳細情報とを、各前記スケジュール円盤の前記分割領域に関連づけて前記表示部にそれぞれ表示することを特徴としている。
【００１７】
また、請求項８に記載の発明は、請求項６又は７に記載のスケジュール管理装置に係り、前記操作部の操作により指定された前記円形個人スケジュール表のサイズを他の少なくとも１個の前記円形個人スケジュール表のサイズより拡大して前記表示部に表示することを特徴としている。
【００１８】
また、請求項９に記載の発明に係るスケジュール管理システムは、請求項１乃至８のいずれかに記載の複数のスケジュール管理装置がネットワークを介して接続されて構成されていることを特徴としている。
【００１９】
また、請求項１０に記載の発明に係るスケジュール管理システムは、請求項１乃至８のいずれかに記載の少なくとも１個のスケジュール管理装置と、前記スケジュールに関するデータを管理するサーバとがネットワークを介して接続されて構成されていることを特徴としている。
【００２０】
また、請求項１１に記載の発明に係るスケジュール管理方法は、操作部の操作により入力された任意の期間分のスケジュールに基づいて放射状に分割されたスケジュール円盤を作成して、少なくとも１個の前記スケジュール円盤からなる円形個人スケジュール表を作成する円形個人スケジュール表作成ステップと、前記円形個人スケジュール表を表示部に表示する円形個人スケジュール表表示ステップとを有することを特徴としている。
【００２１】
また、請求項１２に記載の発明は、請求項１１に記載のスケジュール管理方法に係り、前記操作部の操作により指定された前記スケジュール円盤の分割領域に対応した行為の詳細情報を、前記スケジュール円盤の前記分割領域に関連づけて前記表示部に表示する個人詳細情報表示ステップを有することを特徴としている。
【００２２】
また、請求項１３に記載の発明は、請求項１１又は１２に記載のスケジュール管理方法に係り、前記操作部の操作により指定された前記スケジュール円盤において、前記スケジュール円盤が表す期間を、前記操作部の操作により任意の期間に変更し、期間が変更された新たな前記スケジュール円盤を前記表示部に表示するスケジュール円盤期間変更表示ステップを有することを特徴としている。
【００２３】
また、請求項１４に記載の発明は、請求項１１乃至１３のいずれかに記載のスケジュール管理方法に係り、前記操作部の操作により前記円形個人スケジュール表において最前面に位置する前記スケジュール円盤を変更して前記表示部に表示するスケジュール円盤変更表示ステップを有することを特徴としている。
【００２４】
また、請求項１５に記載の発明は、請求項１１乃至１４のいずれかに記載のスケジュール管理方法に係り、前記操作部の操作により前記少なくとも１個の前記スケジュール円盤のレイアウトを変更して前記表示部に表示するレイアウト変更表示ステップを有することを特徴としている。
【００２５】
また、請求項１６に記載の発明は、請求項１１乃至１５のいずれかに記載のスケジュール管理方法に係り、前記円形個人スケジュール表を複数並べた円形グループスケジュール表を前記表示部に表示する円形グループスケジュール表表示ステップを有することを特徴としている。
【００２６】
また、請求項１７に記載の発明は、請求項１６に記載のスケジュール管理方法に係り、前記操作部の操作により指定された前記円形個人スケジュール表を構成する前記スケジュール円盤の分割領域に対応した第１の行為の詳細情報と、他の複数の前記円形個人スケジュール表において、前記第１の行為が行われる期間と同一の期間に行われる前記スケジュール円盤の分割領域に対応した複数の第２の行為の詳細情報とを、各前記スケジュール円盤の前記分割領域に関連づけて前記表示部にそれぞれ表示するグループ詳細情報表示ステップを有することを特徴としている。
【００２７】
また、請求項１８に記載の発明は、請求項１６又は１７に記載のスケジュール管理方法に係り、前記操作部の操作により指定された前記円形個人スケジュール表のサイズを他の複数の前記円形個人スケジュール表のサイズより拡大して前記表示部に表示する拡大表示ステップを有することを特徴としている。
【００２８】
また、請求項１９に記載の発明に係るスケジュール管理プログラムは、コンピュータに請求項１１乃至１８のいずれかに記載の機能を実現させることを特徴としている。
【発明の効果】
【００２９】
本発明によれば、どの構成員がどの期間にどのような行為を行っているかについて直感的に認識することができる。これにより、例えば、各構成員のうち、会議に出席すべきすべての構成員が空いている時間を短時間で正確に把握することができるとともに、読み間違えを防止することができ、視認性が向上する。また、簡単な操作により、グループのすべての構成員のある期間に行われる行為及びその詳細情報を容易に、かつ、直感的に把握することができる。
【発明を実施するための最良の形態】
【００３０】
実施の形態１．
図１は、本発明の実施の形態１に係るスケジュール管理システムの構成を示すブロック図である。本実施の形態１に係るスケジュール管理システムは、ネットワーク１と、サーバ２と、複数のスケジュール管理装置３とを有している。ネットワーク１は、例えば、構内ネットワーク（ＬＡＮ： Local Area Network）、広域ネットワーク（ＷＡＮ： Wide Area Network）、あるいはインターネット等からなる。ネットワーク１は、サーバ２と、複数のスケジュール管理装置３とに、例えば、ツイスト・ペアケーブル、同軸ケーブルや光ファイバケーブル等により有線接続され、又は無線接続されている。
【００３１】
サーバ２は、例えば、このスケジュール管理システムが導入されている企業のセンター等に設置されているものとする。サーバ２は、図２に示すように、制御部１１と、操作部１２と、表示部１３と、通信制御部１４と、記憶部１５等を有するコンピュータ等の情報処理装置によって構成されている。制御部１１は、中央処理装置（ＣＰＵ）、デジタルシグナルプロセッサ（ＤＳＰ）、シーケンサ等を有し、記憶部１５に記憶されているシステム管理プログラムその他のプログラム等に基づいて、システム管理処理その他の処理を実行することにより、このサーバ２の各部を制御する。
【００３２】
即ち、例えば、記憶部１５からシステム管理プログラムが読み出されると、制御部１１に読み込まれ、制御部１１の動作を制御する。制御部１１は、システム管理プログラムが起動されると、システム管理プログラムの制御により、後述するシステム管理処理を実行するのである。システム管理処理は、このスケジュール管理システムが導入されている企業の従業員等が日々の行為に関するスケジュールを個人ごと及びグループごとに登録、管理、参照するために実行される処理である。ここで、「行為」とは、人がある意思をもってする個人的な行いをいい、本特許請求の範囲、明細書及び要約書では、「業務」、「作業」、「予定」あるいは「スケジュール」の上位概念として用いている。
【００３３】
操作部１２は、英数字ボタン、エンターボタン、コントロールボタン、シフトボタン、あるいはファンクションボタンＦ１〜Ｆ１２等からなるキーボードや、マウス、タッチパッド、あるいはペンデバイス等のポインティングデバイスなどを有している。
【００３４】
表示部１３は、例えば、ＣＲＴディスプレイ、液晶ディスプレイ（ＬＣＤ；Liquid Crystal Display）、エレクトロルミネセンス（ＥＬ：electroluminescence）ディスプレイ、あるいはプラズマディスプレイパネル（ＰＤＰ；Plasma Display Panel）等のディスプレイを有している。表示部１３は、制御部１１から供給される映像データに基づいて、ディスプレイに映像を表示する。
【００３５】
通信制御部１４は、モデムやルータ等からなり、制御部１１がネットワーク１を介してスケジュール管理装置３とデータ通信を行う際に用いられる。記憶部１５は、ＲＡＭやＲＯＭ、あるいはフラッシュメモリ等の半導体メモリ、ＦＤ（フレキシブルディスク）が装着されるＦＤドライブ、ＨＤ（ハード・ディスク）が装着されるＨＤドライブ、ＭＯ（光磁気）ディスクが装着されるＭＯディスクドライブ、あるいはＣＤ（コンパクト・ディスク）−ＲＯＭ、ＣＤ−Ｒ（Recordable）、ＣＤ−ＲＷ（Rewritable）やＤＶＤ（Digital Versatile Disk）−ＲＯＭ、ＤＶＤ−Ｒ、ＤＶＤ−ＲＷ等が装着されるＣＤ／ＤＶＤドライブ等からなる。記憶部１５には、制御部１１が実行するシステム管理プログラムその他のプログラムや、ユーザが操作部１２を操作することにより入力したデータ、ネットワーク１を介してアクセスしてきた各スケジュール管理装置３から送信されたスケジュールに関するデータ等が記憶される。また、記憶部１５は、制御部１１がシステム管理プログラムその他のプログラムを実行する際に作業用として使用される。なお、記憶部１５に記憶される各種プログラムや一部のデータについては、制御部１１を構成するＣＰＵ等の内部に設けられたメモリに記憶されると構成しても良い。
【００３６】
図１に示すスケジュール管理装置３は、例えば、上記企業の従業員等が普段業務を行う机の上に設置されていたり、各従業員等が出張先等に携帯したりする。スケジュール管理装置３は、図３に示すように、制御部２１と、操作部２２と、表示部２３と、通信制御部２４と、記憶部２５とを有するコンピュータ等の情報処理装置によって構成されている。基本的には、制御部２１、操作部２２、表示部２３、通信制御部２４及び記憶部２５は、サーバ２を構成する対応する制御部１１、操作部１２、表示部１３、通信制御部１４及び記憶部１５がそれぞれ有する機能と同等の機能をそれぞれ有するが、制御部２１が実行する処理及び記憶部２５に記憶されるプログラムやデータが、制御部１１が実行する処理及び記憶部１５に記憶されるプログラムやデータと異なっている。即ち、制御部２１は、記憶部２５に記憶されているスケジュール管理プログラムその他のプログラムに基づいて、スケジュール管理処理その他の処理を実行し、スケジュール管理装置３の各部を制御する。スケジュール管理処理は、当該従業員等が自己のスケジュールを登録、管理、確認したり、自分が属するグループの全構成員のスケジュールを参照したりするために実行される処理である。
【００３７】
また、操作部２２は、上記した操作部１２が有しているキーボードやポインティングデバイスの他、例えば、図４に示すように、複合操作子３１を有している。この複合操作子３１は、回転リング３２と、右カーソルボタン３３と、左カーソルボタン３４と、 上カーソルボタン３５と、下カーソルボタン３６と、決定ボタン３７とから構成されている。回転リング３２は、例えば、上記スケジュール管理処理が実行されている際に、上記ディスプレイに円形個人スケジュール表（例えば、図１１参照）又は円形グループスケジュール表（例えば、図１９参照）が表示されている状態では時計回り又は反時計回りに回転されることにより、それぞれ回転角度に応じて時計回り又は反時計回りへのフォーカスの移動が指示されるとともに、フォーカスされた行為表示領域（分割領域）に対応した行為の詳細情報を上記円形個人スケジュール表又は上記円形グループスケジュール表に重ねて表示することが指示される操作子である。
【００３８】
ここで、フォーカスについて説明する。表示画面に複数の表示領域、ボタンやテキストボックス等が表示されている場合、これらのうち、操作部からの入力を受け付けることができるのは１つだけであるが、その入力を受け付ける状態になっていることをフォーカスされているという。ある表示領域等がフォーカスされているか否かは、円形個人スケジュール表又は円形グループスケジュール表の各行為領域の場合には当該行為が表示されている分割領域（行為表示領域）がハイライト表示又は反転表示される、テキストボックスの場合には内部でカーソルが点滅する、ドロップダウンリストボックスの場合にはメニューが選択反転する、コマンドボタンの場合には破線で囲まれる、等により判断することができる。
【００３９】
右カーソルボタン３３、左カーソルボタン３４、 上カーソルボタン３５及び下カーソルボタン３６は、例えば、円形個人スケジュール表又は円形グループスケジュール表を構成する複数の就業日のスケジュール表の中から所望の就業日のスケジュール表を最前面に表示させること等が指示されるボタンである。決定ボタン３７は、例えば、上記ディスプレイに表示されている円形個人スケジュール表又は円形グループスケジュール表を構成する行為表示領域がフォーカスされている状態で押下されることにより、当該行為表示領域に対応した期間に新たな行為を登録するためのスケジュール登録画面（図示略）を上記ディスプレイに表示させること等が指示されるボタンである。
【００４０】
次に、上記構成のスケジュール管理システムの動作について説明する。まず、サーバ２は、少なくとも当該企業の営業時間内では常時電源が投入されており、ネットワーク１に接続されているすべてのスケジュール管理装置３から常時アクセス可能であり、円形個人スケジュール表及び円形グループスケジュール表をそれぞれ構成するすべてのデータの登録、更新、削除が可能となっているものとする。即ち、サーバ２は、当該企業の営業時間内では、記憶部１５に記憶されているシステム管理プログラムに基づいてシステム管理処理を実行しているのである。
【００４１】
以下では、あるスケジュール管理装置３の動作について、当該企業のあるグループ（例えば、企画第２課）に属するＣ副主任が円形個人スケジュール表及び円形グループスケジュール表を閲覧することを例にとって説明する。当該企画第２課は、Ｃ副主任当人の他、Ａ課長、Ｂ主任、Ｄ、Ｅ及びＦの計６人で構成されているものとする。また、この企業は、週休２日制を採用しており、月曜日から金曜日までが就業日であり、土曜日及び日曜日が休日であるとする。さらに、この企業は、午前９時から午後５時までが定時の就業時間であり、午後５時以降から残業時間であるとする。
【００４２】
なお、各スケジュール管理装置３が以下に示す処理を実行するためには、実際には、ネットワーク１を介したサーバ２へのアクセス処理、Ｃ副主任がこのスケジュール管理システムを利用する正当な権利を有していることを認証する認証処理、サーバ２がアクセスしてきた各スケジュール管理装置３へデータを送信するデータ送信処理など、各種の処理が行われるが、これらの処理は、本実施の形態１とは直接関係しないので、特に説明しない。
【００４３】
まず、Ｃ副主任が自己に貸与されているスケジュール管理装置３に電源を投入すると、制御部２１は、所定の初期化処理を実行した後、図５に示すステップＳ１の処理へ進み、起動操作が行われたか否かを判断する。ステップＳ１の判断結果が「ＮＯ」の場合には、制御部２１は、同判断を繰り返す。ステップＳ１の判断は、制御部２１において、例えば、Ｃ副主任が操作部２２を構成するマウスを操作して、表示部２３を構成するディスプレイに表示されたデスクトップ画面を構成するスケジュール管理プログラムに対応したアイコン上にマウスカーソルを移動させた後、クリックしたか否かにより行う。
【００４４】
Ｃ副主任が上記した操作方法でマウスを操作すると、ステップＳ１の判断結果が「ＹＥＳ」となり、制御部２１は、ステップＳ２へ進む。ステップＳ２では、制御部２１は、例えば、表示部２３を構成するディスプレイにデータ登録画面を表示してデータの入力を促すなどのデータ登録処理を行った後、ステップＳ３へ進む。この処理で登録すべきデータとしては、例えば、従業者等の氏名、所属部署名、従業者等に付与されている識別番号、自己の就業日ごとの行為の詳細情報等がある。行為の詳細情報としては、例えば、当該行為の開始時刻、終了時刻、行為の具体的な内容、行為を行う場所、列席者、連絡手段などの構成要素がある。このデータ登録処理は、例えば、上記特許文献１又は特許文献２等に記載された周知の方法により行われる。このデータ登録処理によって、サーバ２を構成する記憶部１５の所定の記憶領域に、上記Ｃ副主任個人に関するデータが記憶される。
【００４５】
ステップＳ３では、制御部２１は、表示部２３を構成するディスプレイに、例えば、図１１に示す円形個人スケジュール表を表示させるなどの個人スケジュール表示処理を行った後、ステップＳ４へ進む。図１１の例では、最前面の円盤に３月２７日（月）の１日分のスケジュール（以下、「スケジュール円盤」と称する。）が時計の文字盤を模して示されている。以下、奥行き方向に、翌就業日である３月２８日（火）のスケジュール円盤から就業日として１週間後の就業日である４月４日（火）のスケジュール円盤までが順次一部重ねて示されている。
【００４６】
ステップＳ４では、制御部２１は、複合操作子３１を構成する回転リング３２が時計回りに操作されたか否かを判断する。ステップＳ４の判断結果が「ＹＥＳ」の場合には、制御部２１は、ステップＳ５へ進む。ステップＳ５では、制御部２１は、時計回り方向にフォーカスを移動させる処理をするとともに、移動されたフォーカスに対応した行為の詳細情報を当該フォーカスに関連づけて、いわば漫画の台詞の「吹き出し」のように表示させる処理を行った後、ステップＳ４へ戻る。
【００４７】
今の場合、Ｃ副主任が回転リング３２を操作する前は、図１１に示す円形個人スケジュール表の最前面にある３月２７日（月）のスケジュール円盤において、図１２に太線で囲んで示すように、午前９時から午前１０時までの行為にフォーカスされているものとする。このとき、この行為の詳細情報としては、行為の開始時刻として「９：００」が、終了時刻として「１０：００」が、行為の具体的な内容として「稟議書の作成」が、行為を行う場所として「デスク」がそれぞれ示されている。
【００４８】
このような表示状態において、Ｃ副主任が回転リング３２を時計回りに操作すると、３月２７日（月）のスケジュール円盤において、図１３に太線で囲んで示すように、午前１０時から正午までの行為にフォーカスが移動される。このとき、この行為の詳細情報としては、行為の開始時刻として「１０：００」が、終了時刻として「１２：００」が、行為の具体的な内容として「会議  来期製品の企画検討」が、行為を行う場所として「２１Ａ室」がそれぞれ示されることになる。
【００４９】
一方、ステップＳ４の判断結果が「ＮＯ」の場合、即ち、複合操作子３１を構成する回転リング３２が時計回りに操作されなかった場合には、制御部２１は、ステップＳ６へ進む。ステップＳ６では、制御部２１は、複合操作子３１を構成する回転リング３２が反時計回りに操作されたか否かを判断する。ステップＳ６の判断結果が「ＹＥＳ」の場合には、制御部２１は、ステップＳ７へ進む。ステップＳ７では、制御部２１は、反時計回り方向にフォーカスを移動させる処理をするとともに、移動されたフォーカスに対応した行為の詳細情報を当該フォーカスに関連づけて、いわば漫画の台詞の「吹き出し」のように表示させる処理を行った後、ステップＳ４へ戻る。
【００５０】
一方、ステップＳ６の判断結果が「ＮＯ」の場合、即ち、複合操作子３１を構成する回転リング３２が反時計回りに操作されなかった場合には、制御部２１は、図６に示すステップＳ８へ進む。ステップＳ８では、制御部２１は、複合操作子３１を構成する右カーソルボタン３３が操作されたか否かを判断する。ステップＳ８の判断結果が「ＹＥＳ」の場合には、制御部２１は、ステップＳ９へ進む。ステップＳ９では、制御部２１は、翌就業日のスケジュール円盤を最前面に表示させる処理を行った後、図５に示すステップＳ４へ戻る。
【００５１】
今の場合、Ｃ副主任が右カーソルボタン３３を操作する前は、図１１に示すように、円形個人スケジュール表の最前面には、３月２７日（月）のスケジュール円盤が表示されているものとする。このような表示状態において、Ｃ副主任が右カーソルボタン３３を操作すると、図１４に示すように、円形個人スケジュール表の最前面には、翌就業日である３月２８日（火）のスケジュール円盤が表示されることになる。一方、３月２７日（月）のスケジュール円盤は、図１４において矢印で示すように、最背面に移動されて表示されることになる。
【００５２】
一方、ステップＳ８の判断結果が「ＮＯ」の場合、即ち、複合操作子３１を構成する右カーソルボタン３３が操作されなかった場合には、制御部２１は、ステップＳ１０へ進む。ステップＳ１０では、制御部２１は、複合操作子３１を構成する左カーソルボタン３４が操作されたか否かを判断する。ステップＳ１０の判断結果が「ＹＥＳ」の場合には、制御部２１は、ステップＳ１１へ進む。ステップＳ１１では、制御部２１は、前就業日のスケジュール円盤を最前面に表示させる処理を行った後、図５に示すステップＳ４へ戻る。
【００５３】
ここで、「前就業日のスケジュール円盤」とは、現在最前面に表示されているスケジュール円盤の就業日が暦における１週間の途中の就業日である場合には当該就業日の１日前の就業日のスケジュール円盤を意味し、現在最前面に表示されているスケジュール円盤の就業日が暦における１週間の最初の就業日である場合には翌週の第２の就業日のスケジュール円盤を意味する。この「前就業日のスケジュール円盤」の意味は、後述するステップＳ２５においても同様である。
【００５４】
今の場合、Ｃ副主任が左カーソルボタン３４を操作する前は、図１１に示すように、円形個人スケジュール表の最前面には、３月２７日（月）のスケジュール円盤が表示されているものとする。このような表示状態において、Ｃ副主任が左カーソルボタン３４を操作すると、図１５に示すように、円形個人スケジュール表の最前面には、翌週の第２の就業日である４月４日（火）のスケジュール円盤が表示されることになる。一方、３月２７日（月）のスケジュール円盤は、図１５において矢印で示すように、４月４日（火）のスケジュール円盤の背面側に移動されて表示されることになる。
【００５５】
一方、ステップＳ１０の判断結果が「ＮＯ」の場合、即ち、複合操作子３１を構成する左カーソルボタン３４が操作されなかった場合には、制御部２１は、図７に示すステップＳ１２へ進む。ステップＳ１２では、制御部２１は、図示せぬキーボードを構成するシフトボタンと複合操作子３１を構成する右カーソルボタン３３とが同時操作されたか否かを判断する。ステップＳ１２の判断結果が「ＹＥＳ」の場合には、制御部２１は、ステップＳ１３へ進む。ここで、上記「同時操作」とは、シフトボタンを押下しつつ、右カーソルボタン３３を１回押下することを意味する。この「同時操作」の意味は、後述するステップＳ１４、ステップ２６及びステップＳ２８においても同様である。ステップＳ１３では、制御部２１は、７個のスケジュール円盤からなる円形個人スケジュール表のレイアウトを隣接するスケジュール円盤の間隔が広くなる拡散方向へ変更して表示させる処理を行った後、図５に示すステップＳ４へ戻る。
【００５６】
今の場合、Ｃ副主任がシフトボタン及び右カーソルボタン３３を同時操作する前は、図１１に示すように、最前面に表示されている３月２７日（月）のスケジュール円盤の背面には、他の就業日のスケジュール円盤がほとんど隠れて表示されているものとする。このような表示状態において、Ｃ副主任がシフトボタン及び右カーソルボタン３３を同時操作すると、図１６に示すように、最前面に表示されている３月２７日（月）のスケジュール円盤の背面には、他の就業日のスケジュール円盤がそれぞれ半分程度隠れて表示されることになる。
【００５７】
なお、Ｃ副主任がシフトボタン及び右カーソルボタン３３の同時操作を２回連続する、具体的には、シフトボタンを押下しつつ、右カーソルボタン３３を２回連続して押下すると、図１７に示すように、最前面に表示されている３月２７日（月）のスケジュール円盤の右側に、他の就業日のスケジュール円盤がそれぞれ半分以上顕わになって直線的に並列して表示されることになる。さらに、Ｃ副主任がシフトボタン及び右カーソルボタン３３の同時操作を３回連続する、具体的には、シフトボタンを押下しつつ、右カーソルボタン３３を３回連続して押下すると、図１１に示すように、最前面に表示されている３月２７日（月）のスケジュール円盤の背面に他の就業日のスケジュール円盤がほとんど隠れて表示されることになる。つまり、シフトボタン及び右カーソルボタン３３の同時操作が繰り返されることにより、図１１の表示状態から図１６の表示状態への変更、図１６の表示状態から図１７の表示状態への変更、図１７の表示状態から図１１の表示状態への変更がローテーションで行われる。
【００５８】
なお、図１８は、７個のスケジュール円盤からなる円形個人スケジュール表のレイアウトが図１７の表示状態である場合において、複合操作子３１を構成する右カーソルボタン３３が操作された場合（ステップＳ８の判断結果が「ＹＥＳ」及びステップＳ９の処理）の表示例である。つまり、７個のスケジュール円盤からなる円形個人スケジュール表のレイアウトが図１７の表示状態である場合には、各スケジュール円盤の並ぶ順序が変更されずに、選択されたスケジュール円盤を最前面に表示するのである。
【００５９】
一方、ステップＳ１２の判断結果が「ＮＯ」の場合、即ち、図示せぬキーボードを構成するシフトボタンと複合操作子３１を構成する右カーソルボタン３３とが同時操作されなかった場合には、制御部２１は、ステップＳ１４へ進む。ステップＳ１４では、制御部２１は、図示せぬキーボードを構成するシフトボタンと複合操作子３１を構成する左カーソルボタン３４とが同時操作されたか否かを判断する。ステップＳ１４の判断結果が「ＹＥＳ」の場合には、制御部２１は、ステップＳ１５へ進む。
【００６０】
ステップＳ１５では、制御部２１は、７個のスケジュール円盤からなる円形個人スケジュール表のレイアウトを隣接するスケジュール円盤の間隔が狭くなる集約方向へ変更して表示させる処理を行った後、図５に示すステップＳ４へ戻る。このステップＳ１４及びＳ１５の処理は、上記したステップＳ１２及びＳ１３の処理とは逆方向に７個のスケジュール円盤からなる円形個人スケジュール表のレイアウトを変更する処理である。つまり、シフトボタン及び左カーソルボタン３４の同時操作が繰り返されることにより、図１７の表示状態から図１６の表示状態への変更、図１６の表示状態から図１１の表示状態への変更、図１１の表示状態から図１７の表示状態への変更がローテーションで行われる。
【００６１】
一方、ステップＳ１４の判断結果が「ＮＯ」の場合、即ち、図示せぬキーボードを構成するシフトボタンと複合操作子３１を構成する左カーソルボタン３４とが同時操作されなかった場合には、制御部２１は、図８に示すステップＳ１６へ進む。
図８に示すステップＳ１６では、図示せぬキーボードを構成するファンクションボタンＦ１が操作されたか否かを判断する。ステップＳ１６の判断結果が「ＹＥＳ」の場合には、制御部２１は、ステップＳ１７へ進む。ステップＳ１７では、制御部２１は、表示部２３を構成するディスプレイに、例えば、図１９に示す円形グループスケジュール表を表示させるなどのグループスケジュール表示処理を行った後、ステップＳ１８へ進む。図１９の例では、グループのすべての構成員（企画第２課計６名）について、図１１に示す円形個人スケジュール表と同一構成を有する円形個人スケジュール表が左右方向に並列して示されている。
【００６２】
ステップＳ１８では、制御部２１は、複合操作子３１を構成する回転リング３２が時計回りに操作されたか否かを判断する。ステップＳ１８の判断結果が「ＹＥＳ」の場合には、制御部２１は、ステップＳ１９へ進む。ステップＳ１９では、制御部２１は、回転リング３２が操作される前にフォーカスされている構成員の円形個人スケジュール表を構成する最前面に位置するスケジュール円盤において、時計回り方向にフォーカスを移動させる処理をするとともに、新たにフォーカスされた行為表示領域に対応した行為の詳細情報を当該フォーカスに関連づけて、いわば漫画の台詞の「吹き出し」のように表示させる処理を行う。これと同時に、制御部２１は、当該構成員が属するグループの他のすべての構成員の各円形個人スケジュール表を構成する最前面に位置するスケジュール円盤において、フォーカスされている構成員の円形個人スケジュール表を構成する最前面のスケジュール円盤内で新たにフォーカスされた行為表示領域に対応した行為の行為開始時刻から行為終了時刻まで（当該行為が行われる期間）と同一期間に行われる行為のそれぞれの詳細情報を当該フォーカスに関連づけて、いわば漫画の台詞の「吹き出し」のように表示させる処理を行った後、ステップＳ１８へ戻る。
【００６３】
図１９の例は、Ｃ副主任が回転リング３２を操作する前は、フォーカスは、Ａ課長の円形個人スケジュール表の最前面にある３月２７日（月）のスケジュール円盤にあったものであり、Ｃ副主任が回転リング３２を操作することにより、午前９時から午前１１時まで行われる行為（今の場合、会議）の行為表示領域にフォーカスが移動したこと及びその行為の詳細情報が「吹き出し」のように表示されていることを示している。
【００６４】
また、図１９の例は、Ａ課長以外の他の構成員、即ち、Ｂ主任、Ｃ副主任、Ｄさん、Ｅさん及びＦさんの各円形個人スケジュール表を構成する最前面に位置するスケジュール円盤において、フォーカスされているＡ課長の円形個人スケジュール表を構成する最前面のスケジュール円盤内で新たにフォーカスされた行為表示領域に対応した行為の行為開始時刻（午前９時）から行為終了時刻（午前１１時）までと同一期間に行われる行為のそれぞれの詳細情報が移動したフォーカスに関連づけて、いわば漫画の台詞の「吹き出し」のように表示されていることを示している。
【００６５】
つまり、Ａ課長は、午前９時から午前１１までは、会議しかスケジュールにはないが、Ｂ主任以下の他の構成員は、午前９時から１０分間だけ朝礼を行う予定であることが分かる。また、Ｂ主任、Ｃ副主任、Ｄさん及びＦさんは、午前９時１０分から午前１０時まで打ち合わせを行った後、Ｂ主任、Ｄさん及びＦさんは、午前１１時まで各自デスクにおいてそれぞれの行為を行う予定であることが分かる。一方、Ｃ副主任は、上記打ち合わせの後、午前１０時３０分まで面会が予定され、その後、午前１１時まで自己のデスクにおいて行為を行う予定であることが分かる。また、Ｅさんは、上記打ち合わせには参加せず、朝礼後午前１１時まで自己のデスクにおいて行為を行う予定であることが分かる。
このように、本実施の形態１によれば、回転リング３２を操作するという簡単な操作により、グループのすべての構成員のある期間に行われる行為及びその詳細情報を容易に、かつ、直感的に把握することができるのである。
【００６６】
一方、ステップＳ１８の判断結果が「ＮＯ」の場合、即ち、複合操作子３１を構成する回転リング３２が時計回りに操作されなかった場合には、制御部２１は、ステップＳ２０へ進む。ステップＳ２０では、制御部２１は、複合操作子３１を構成する回転リング３２が反時計回りに操作されたか否かを判断する。ステップＳ２０の判断結果が「ＹＥＳ」の場合には、制御部２１は、ステップＳ２１へ進む。ステップＳ２１では、制御部２１は、回転リング３２が操作される前にフォーカスされている構成員の円形個人スケジュール表を構成する最前面に位置するスケジュール円盤において、反時計回り方向にフォーカスを移動させる処理をするとともに、新たにフォーカスされた行為表示領域に対応した行為の詳細情報を当該フォーカスに関連づけて、いわば漫画の台詞の「吹き出し」のように表示させる処理を行う。これと同時に、制御部２１は、当該構成員が属するグループの他のすべての構成員の各円形個人スケジュール表を構成する最前面に位置するスケジュール円盤において、フォーカスされている構成員の円形個人スケジュール表を構成する最前面のスケジュール円盤内で新たにフォーカスされた行為表示領域に対応した行為の行為開始時刻から行為終了時刻までと同一期間に行われる行為のそれぞれの詳細情報を当該フォーカスに関連づけて、いわば漫画の台詞の「吹き出し」のように表示させる処理を行った後、ステップＳ１８へ戻る。
【００６７】
一方、ステップＳ２０の判断結果が「ＮＯ」の場合、即ち、複合操作子３１を構成する回転リング３２が反時計回りに操作されなかった場合には、制御部２１は、図９に示すステップＳ２２へ進む。ステップＳ２２では、制御部２１は、複合操作子３１を構成する右カーソルボタン３３が操作されたか否かを判断する。ステップＳ２２の判断結果が「ＹＥＳ」の場合には、制御部２１は、ステップＳ２３へ進む。ステップＳ２３では、制御部２１は、当該グループに属するすべての構成員の各円形個人スケジュール表において、翌就業日のスケジュール円盤を最前面に表示させる処理を行った後、図８に示すステップＳ１８へ戻る。ステップＳ２３の処理では、Ｃ副主任の円形個人スケジュール表について、図１１及び図１４を参照して説明した処理が企画第２課に属するすべての構成員の各円形個人スケジュール表について同時に行われるのである。
【００６８】
一方、ステップＳ２２の判断結果が「ＮＯ」の場合、即ち、複合操作子３１を構成する右カーソルボタン３３が操作されなかった場合には、制御部２１は、ステップＳ２４へ進む。ステップＳ２４では、制御部２１は、複合操作子３１を構成する左カーソルボタン３４が操作されたか否かを判断する。ステップＳ２４の判断結果が「ＹＥＳ」の場合には、制御部２１は、ステップＳ２５へ進む。ステップＳ２５では、制御部２１は、前就業日のスケジュール円盤を最前面に表示させる処理を行った後、図８に示すステップＳ１８へ戻る。ステップＳ２５の処理では、Ｃ副主任の円形個人スケジュール表について、図１１及び図１５を参照して説明した処理が企画第２課に属するすべての構成員の各円形個人スケジュール表について同時に行われるのである。
【００６９】
一方、ステップＳ２４の判断結果が「ＮＯ」の場合、即ち、複合操作子３１を構成する左カーソルボタン３４が操作されなかった場合には、制御部２１は、図１０に示すステップＳ２６へ進む。ステップＳ２６では、制御部２１は、図示せぬキーボードを構成するコントロールボタンと複合操作子３１を構成する右カーソルボタン３３とが同時操作されたか否かを判断する。ステップＳ２６の判断結果が「ＹＥＳ」の場合には、制御部２１は、ステップＳ２７へ進む。ステップＳ２７では、制御部２１は、右隣の構成員の円形個人スケジュール表を構成する最前面のスケジュール円盤にフォーカスを移動させるとともに、当該円形個人スケジュール表のサイズを他の構成員の円形個人スケジュール表と比較して拡大して表示させる処理を行った後、図８に示すステップＳ１８へ戻る。
【００７０】
今の場合、Ｃ副主任がコントロールボタン及び右カーソルボタン３３を同時操作する前は、図１９に示すように、左端に位置するＡ課長の円形個人スケジュール表の最前面に表示されている３月２７日（月）のスケジュール円盤にフォーカスが表示されているものとする。このような表示状態において、Ｃ副主任がコントロールボタン及び右カーソルボタン３３を２回連続して同時操作すると、図２０に示すように、フォーカスが左から３番目に位置するＣ副主任の円形個人スケジュール表の最前面に表示されている３月２７日（月）のスケジュール円盤に移動するとともに、当該円形個人スケジュール表のサイズが他の構成員の円形個人スケジュール表と比較して拡大して表示されることになる。
【００７１】
なお、図２０では、フォーカスされているＣ副主任の円形個人スケジュール表を構成する最前面のスケジュール円盤内で新たにフォーカスされた行為表示領域に対応した行為の詳細情報と、Ｃ副主任以外の他の構成員の各円形個人スケジュール表を構成する最前面に位置するスケジュール円盤において、フォーカスされているＣ副主任の円形個人スケジュール表を構成する最前面のスケジュール円盤内で新たにフォーカスされた行為表示領域に対応した行為の行為開始時刻から行為終了時刻までと同一期間に行われる行為のそれぞれの詳細情報とはいずれもが表示されていない。しかし、この場合も上記各構成員の上記詳細情報を当該フォーカスに関連づけて、いわば漫画の台詞の「吹き出し」のように表示するように構成しても良い。
【００７２】
なお、Ｃ副主任がコントロールボタン及び右カーソルボタン３３の同時操作を６回連続すると、フォーカスは、再び左端に位置するＡ課長の円形個人スケジュール表の最前面に表示されている３月２７日（月）のスケジュール円盤に移動するとともに、当該円形個人スケジュール表のサイズが他の構成員の円形個人スケジュール表と比較して拡大して表示されることになる。つまり、コントロールボタン及び右カーソルボタン３３の同時操作が繰り返されることにより、フォーカスが順次図２０において左から右へ各円形個人スケジュール表の最前面に表示されているスケジュール円盤上に移動するとともに、フォーカスが移動された円形個人スケジュール表のサイズが他の構成員の円形個人スケジュール表と比較して拡大して表示される。そして、フォーカス及び円形個人スケジュール表の拡大表示が図２０において右端に到達した後に、コントロールボタン及び右カーソルボタン３３の同時操作が行われると、フォーカスが図２０において再び左端に位置するＡ課長の円形個人スケジュール表の最前面に表示されている３月２７日（月）のスケジュール円盤に移動するとともに、当該円形個人スケジュール表のサイズが他の構成員の円形個人スケジュール表と比較して拡大して表示されることになる。
【００７３】
一方、ステップＳ２６の判断結果が「ＮＯ」の場合、即ち、図示せぬキーボードを構成するコントロールボタンと複合操作子３１を構成する右カーソルボタン３３とが同時操作されなかった場合には、制御部２１は、ステップＳ２８へ進む。ステップＳ２８では、制御部２１は、図示せぬキーボードを構成するコントロールボタンと複合操作子３１を構成する左カーソルボタン３４とが同時操作されたか否かを判断する。ステップＳ２８の判断結果が「ＹＥＳ」の場合には、制御部２１は、ステップＳ２９へ進む。ステップＳ２９では、制御部２１は、左隣の構成員の円形個人スケジュール表を構成する最前面のスケジュール円盤にフォーカスを移動させるとともに、当該円形個人スケジュール表のサイズを他の構成員の円形個人スケジュール表と比較して拡大して表示させる処理を行った後、図８に示すステップＳ１８へ戻る。
【００７４】
今の場合、Ｃ副主任がコントロールボタン及び左カーソルボタン３４を同時操作する前は、図２０において、左から３番目に位置するＣ副主任の円形個人スケジュール表の最前面に表示されている３月２７日（月）のスケジュール円盤にフォーカスが表示されているものとする。このような表示状態において、Ｃ副主任がコントロールボタン及び左カーソルボタン３４を１回同時操作すると、図２０において、フォーカスが左から２番目に位置するＢ主任の円形個人スケジュール表の最前面に表示されている３月２７日（月）のスケジュール円盤に移動するとともに、当該円形個人スケジュール表のサイズが他の構成員の円形個人スケジュール表と比較して拡大して表示されることになる。
【００７５】
なお、Ｃ副主任がコントロールボタン及び左カーソルボタン３４の同時操作を３回連続すると、フォーカスは、右端に位置するＦさんの円形個人スケジュール表の最前面に表示されている３月２７日（月）のスケジュール円盤に移動するとともに、当該円形個人スケジュール表のサイズが他の構成員の円形個人スケジュール表と比較して拡大して表示されることになる。つまり、コントロールボタン及び左カーソルボタン３４の同時操作が繰り返されることにより、フォーカスが順次図２０において右から左へ各円形個人スケジュール表の最前面に表示されているスケジュール円盤上に移動するとともに、フォーカスが移動された円形個人スケジュール表のサイズが他の構成員の円形個人スケジュール表と比較して拡大して表示される。そして、フォーカス及び円形個人スケジュール表の拡大表示が図２０において左端に到達した後に、コントロールボタン及び左カーソルボタン３４の同時操作が行われると、フォーカスが図２０において再び右端に位置するＦさんの円形個人スケジュール表の最前面に表示されている３月２７日（月）のスケジュール円盤に移動するとともに、当該円形個人スケジュール表のサイズが他の構成員の円形個人スケジュール表と比較して拡大して表示されることになる。
【００７６】
一方、ステップＳ２８の判断結果が「ＮＯ」の場合、即ち、図示せぬキーボードを構成するコントロールボタンと複合操作子３１を構成する左カーソルボタン３４とが同時操作されなかった場合には、制御部２１は、ステップＳ３０へ進む。ステップＳ３０では、制御部２１は、図示せぬキーボードを構成するファンクションボタンＦ１が操作されたか否かを判断する。ステップＳ３０の判断結果が「ＹＥＳ」の場合には、制御部２１は、図５に示すステップＳ３へ戻る。
【００７７】
一方、ステップＳ３０の判断結果が「ＮＯ」の場合、即ち、図示せぬキーボードを構成するファンクションボタンＦ１が操作されなかった場合には、制御部２１は、図８に示すステップＳ１８へ戻る。このステップＳ３０の処理は、表示部２３を構成するディスプレイに円形グループスケジュール表が表示された状態において、ファンクションボタンＦ１が操作されることにより、表示部２３を構成するディスプレイに円形個人スケジュール表を表示させることを意味している。つまり、このステップＳ３０の処理は、ステップＳ１６と併せて、ファンクションボタンＦ１が円形個人スケジュール表と円形グループスケジュール表の表示切換を指示するボタンとして機能していることを示している。なお、ファンクションボタンＦ１が操作された後、所定時間経過しても何らの操作がなされない場合には、表示部２３を構成するディスプレイに再び円形個人スケジュール表を表示させるように構成しても良い。
【００７８】
このように、本発明の実施の形態１によれば、円形状図形を放射状に分割した各分割領域にグループの構成員の行為を表示するとともに、グループを構成するすべての構成員の円形個人スケジュール表を左右方向に並列して表示している。従って、どの構成員がどの期間にどのような行為を行っているかについて直感的に認識することができる。これにより、例えば、各構成員のうち、会議に出席すべきすべての構成員が空いている時間を短時間で正確に把握することができるとともに、読み間違えを防止することができ、視認性が向上する。また、本実施の形態１によれば、回転リング３２を操作するという簡単な操作により、グループのすべての構成員のある期間の行為及びその詳細情報を容易に、かつ、直感的に把握することができる。
【００７９】
実施の形態２．
上述の実施の形態１では、フォーカスの移動が回転リング３２の回転で指示され、スケジュール円盤の最前面位置への変更が右カーソルボタン３３及び左カーソルボタン３４の操作で指示され、円形個人スケジュール表のレイアウト変更がシフトボタンと右カーソルボタン３３又は左カーソルボタン３４の同時操作で指示され、円形個人スケジュール表と円形グループスケジュール表との表示切換がファンクションボタンＦ１の操作で指示され、円形グループスケジュール表における他の円形個人スケジュール表へのフォーカス移動及び円形個人スケジュール表のサイズ変更がコントロールボタンと右カーソルボタン３３又は左カーソルボタン３４の同時操作で指示される例を示したが、これに限定されない。例えば、複合操作子３１ではなく、キーボードを構成する各種ボタン、ポインティングデバイス又は任意の２つのボタンの同時操作等により上記様々な変更が指示されるように構成しても良い。さらに、上記様々な変更は、上記ハードキーだけの操作ではなく、複合操作子３１に対応した機能が付与されたソフトキー、各変更を直接指示するためのコマンドボタン等をディスプレイに表示するとともに、マウス等のポインティングデバイスを操作してマウスカーソルをソフトキー又はコマンドボタン等上に移動させた後にクリックすることなどにより、指示可能に構成しても良い。
【００８０】
実施の形態３．
上述の実施の形態１では、この発明を専用のスケジュール管理装置に適用する例を示したが、これに限定されない。例えば、この発明は、汎用のパーソナル・コンピュータにも適用することが可能であり、その場合には、上記スケジュール管理プログラムはアプリケーション・プログラムの１つとして記憶媒体にインストールされる。同様に、サーバ２も汎用のパーソナル・コンピュータにより構成し、上記システム管理プログラムはアプリケーション・プログラムの１つとして記憶媒体にインストールするように構成しても良い。
【００８１】
実施の形態４．
上述の実施の形態１では、自己又は他の構成員のスケジュールの変更や予約については特に言及していない。しかし、本発明によれば、グループのすべての構成員の現在及び将来におけるスケジュールを容易に把握することができる。そこで、上述の実施の形態１による構成に加えて、例えば、グループのある構成員が他の構成員に会議の参加を要請する場合、以下に示す処理が可能に構成しても良い。まず、円形グループスケジュール表を閲覧して参加すべき構成員が空いている期間を検索した後、参加すべき構成員の円形個人スケジュール表を選択する。例えば、当該構成員は、操作部２２を操作して、図１９又は図２０に示す複数の円形個人スケジュール表のうち、参加すべき構成員の円形個人スケジュール表の下方に表示されている役職名又は氏名を白黒反転表示させる。次に、当該構成員は、操作部２２を操作して、いずれかの円形個人スケジュール表において、会議が開催される日のスケジュール円盤を最前面に移動させた後、会議の開始時刻及び終了時刻にフォーカスを移動させてキー入力可能状態として当該会議に関する詳細情報を入力する。以上の処理により、会議に参加すべき構成員の円形個人スケジュール表の内容が同時に変更されてサーバ２に登録されるとともに、その変更後のスケジュールがディスプレイに表示される。さらに、サーバ２は、参加すべき構成員にその旨の通知をメール等により送信する。この場合、自己の円形個人スケジュール表にはまだスケジュールを書き込んでいないが、当該時間帯にすべき行為がある構成員には、会議の設定について異議申立てができるように構成しても良い。
【００８２】
実施の形態５．
上述の各実施の形態では、現在又は将来のスケジュールだけを表示する例を示したが、これに限定されず、過去のスケジュールをサーバ２に蓄積し、報告書や行為の進捗状況に関するデータファイルを貼り付けられるように構成しても良い。この場合、スケジュールは誰でも閲覧可能であるが、報告書などの企業秘密に関わるもの、人事考課に関わるもの、仕事の進捗状況については閲覧制限したり、データファイルが貼り付けられていること自体が表示されないように制限したりする。このように構成すれば、構成員は、報告書の作成や行為の進捗状況の報告を別途行う必要がなく、効率化を図ることができる。一方、上司は、次の仕事の依頼をどの部下にどのタイミングで行うかを判断しやすくなる。
【００８３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、例えば、図１９に示すように、現在注目している左端のＡ課長の円形個人スケジュール表においてだけフォーカスがされている例を示したが、これに限定されず、他の構成員の円形個人スケジュール表においても、上記フォーカスされている分割領域と同一期間の分割領域がフォーカスされるように表示しても良い。この場合、現在注目している構成員の円形個人スケジュール表におけるフォーカスの表示形態と、他の構成員の円形個人スケジュール表におけるフォーカスの表示形態とを異ならせても良い。このように構成すれば、より一層視認性が向上する。
【００８４】
また、上述の各実施の形態では、各個人スケジュール表は、複数のスケジュール円盤から構成されている例を示したが、これに限定されず、１個のスケジュール円盤から構成されていても良い。
【００８５】
また、上述の各実施の形態では、例えば、図１２に示すように、１個のスケジュール円盤が１２時間表示される例を示したが、これに限定されず、１個のスケジュール円盤が、２４時間、６時間、１週間、２週間、１ヶ月、６ヶ月、１年等様々な期間を単位として表示されるように構成しても良い。そして、ある期間を単位としたスケジュール円盤のある分割領域（例えば、１週間表示の１日分の分割領域）がフォーカスされている状態で当該分割領域に対して何らかの操作（例えば、マウスのダブルクリック等）がされることにより、当該分割領域に対応した期間を単位とした新たなスケジュール円盤（今の場合、２４時間表示のスケジュール円盤）が表示されるように構成しても良い。
【００８６】
また、上述の各実施の形態では、サーバ２が設けられている例を示したが、これに限定されず、各スケジュール管理装置３は、ネットワーク１を介して、ピアツーピア（Peer to Peer）で接続されるように構成しても良い。このように構成すれば、サーバ２を介さずにスケジュール管理装置３同士が直接通信を行い各構成員のスケジュールを各スケジュール管理装置３が集計して表示部３３を構成するディスプレイに表示することができる。このため、サーバ２を設置しないことにより管理が容易になるとともに、データが分散していることによりである１台のスケジュール管理装置３が何らかの理由により故障した場合でも他のスケジュール管理装置３によりリカバリすることができる。
また、上述の各実施の形態は、その目的及び構成等に特に矛盾や問題がない限り、互いの技術を流用することができる。
【図面の簡単な説明】
【００８７】
【図１】本発明の実施の形態１に係るスケジュール管理システムの構成を示すブロック図である。
【図２】図１に示すスケジュール管理システムを構成するサーバの構成を示すブロック図である。
【図３】図１に示すスケジュール管理システムを構成するスケジュール管理装置の構成を示すブロック図である。
【図４】図３に示すスケジュール管理装置を構成する操作部の複合操作子の構成を示す概略図である。
【図５】スケジュール管理装置の制御部が実行するスケジュール管理処理を示すフローチャートである。
【図６】スケジュール管理装置の制御部が実行するスケジュール管理処理を示すフローチャートである。
【図７】スケジュール管理装置の制御部が実行するスケジュール管理処理を示すフローチャートである。
【図８】スケジュール管理装置の制御部が実行するスケジュール管理処理を示すフローチャートである。
【図９】スケジュール管理装置の制御部が実行するスケジュール管理処理を示すフローチャートである。
【図１０】スケジュール管理装置の制御部が実行するスケジュール管理処理を示すフローチャートである。
【図１１】円形個人スケジュール表の構成の一例を示す図である。
【図１２】図１１に示す円形個人スケジュール表を構成する最前面に位置するスケジュール円盤の詳細な構成の一例及び午前９時から午前１０時までのスケジュールの詳細情報の表示の一例を示す図である。
【図１３】図１２に示す表示状態からフォーカスが移動したことを説明するため及び午前１０時から午前１２時までのスケジュールの詳細情報の表示の一例を示す図である。
【図１４】図１１に示す表示状態から最前面に位置するスケジュール円盤が図中矢印方向に変更されたことを説明するための図である。
【図１５】図１１に示す表示状態から最前面に位置するスケジュール円盤が図中矢印方向に変更されたことを説明するための図である。
【図１６】図１１に示す表示状態から円形個人スケジュール表のレイアウトが拡散方向に変更されたことを説明するための図である。
【図１７】図１６に示す表示状態から円形個人スケジュール表のレイアウトが拡散方向に変更されたことを説明するための図である。
【図１８】図１７に示す表示状態から円形個人スケジュール表の最前面に位置するスケジュール円盤が左から２番目のものに変更されたことを説明するための図である。
【図１９】円形グループスケジュール表の構成の一例を示す図である。
【図２０】円形グループスケジュール表を構成する１つの円形個人スケジュール表の表示サイズが変更されたことを説明するための図である。
【符号の説明】
【００８８】
１  ネットワーク
２  サーバ
３  スケジュール管理装置
１１，２１  制御部
１２，２２  操作部
１３，２３  表示部
１４，２４  通信制御部
１５，２５  記憶部
３１  複合操作子
３２  回転リング
３３  右カーソルボタン
３４  左カーソルボタン
３５  上カーソルボタン
３６  下カーソルボタン
３７  決定ボタン
【図１】
2008217520.tif 000003
【図２】
2008217520.tif 000004
【図３】
2008217520.tif 000005
【図４】
2008217520.tif 000006
【図５】
2008217520.tif 000007
【図６】
2008217520.tif 000008
【図７】
2008217520.tif 000009
【図８】
2008217520.tif 000010
【図９】
2008217520.tif 000011
【図１０】
2008217520.tif 000012
【図１１】
2008217520.tif 000013
【図１２】
2008217520.tif 000014
【図１３】
2008217520.tif 000015
【図１４】
2008217520.tif 000016
【図１５】
2008217520.tif 000017
【図１６】
2008217520.tif 000018
【図１７】
2008217520.tif 000019
【図１８】
2008217520.tif 000020
【図１９】
2008217520.tif 000021
【図２０】
2008217520.tif 000022